(57)【要約】      （修正有）【課題】エンジン駆動による１本ブラシ洗車機において、エンジン引出し機構を簡単にする。又、そのブラシを傾けることを可能にする。又、走行時の方向転換操作性を向上させる。【解決手段】エンジン４引出し部に、引出し用扉１１を設ける。又、ブラシ３を本体に対して傾けられる機構を設ける。又、走行駆動部にウォームギヤを用いる。【選択図】図１
2006143170.tif 000002
【特許請求の範囲】
【請求項１】
エンジン駆動による１本ブラシ移動式洗車機に於いてはエンジンを引出せる構造となっているが、この引出し装置は、引出した時は引出し用レールとして機能し、エンジンを格納した時はエンジンを引出せないようにロックをすることができ、エンジンの盗難防止の機能をも有している装置。
【請求項２】
１本ブラシ移動式洗車機に於いて、ブラシは洗車機本体台車に対して通常固定されているが、床面の状況に応じて、そのブラシを前後に傾倒させることにより、車輌にブラシをより効率よく接触させることができるような機構を有する装置。
【請求項３】
１本ブラシ移動式洗車機に於いて、その走行駆動部にウォームギヤを用いることにより、走行方向変換時の操作反応性能をより迅速に対応させることができる装置。
【発明の詳細な説明】
【技術分野】
【０００１】  本発明は、エンジン駆動による１本ブラシ洗車機に関する。
【背景技術】
【０００２】  従来のエンジン駆動による１本ブラシ洗車機のエンジン引出し機構はスライドレール方式であるが、重量の大きいエンジンの場合はそのスライド部を強化することになる。【０００３】  従来のエンジン駆動による１本ブラシ洗車機では、ブラシ軸が本体台車に固定されている。【０００４】  従来のエンジン駆動による１本ブラシ洗車機の駆動部には、平歯車を組み合わせたギヤードモーターが使用されている。
【発明の開示】
【発明が解決しようとする課題】
【０００５】  しかしながら、エンジン引出し部のスライドレールを強化すると、それ自体が大きくなり、元来複雑な機構である為、コスト的にも不利になる。【０００６】  又、ブラシ軸が固定されていると、床面の状況によりブラシが洗車車輌にうまく接触しないことがある。【０００７】  又、上記のギヤードモーターでは、走行中の貫性力により方向転換が即座に行えず、操作性がよくないことがある。電磁ブレーキ等を用いた場合は、ブレーキングの頻度が多いと電磁ブレーキ自体の耐久性が不足することがある。
【課題を解決するための手段】
【０００８】  本発明におけるエンジン引出し装置については、引出し機構をスライド方式ではなく、エンジン引出し扉を装備し、それをヒンジにて折りたためるようにすることで、上記課題を解決する。【０００９】  本発明におけるブラシについては、本体台車に対して前後に傾けることができるようにすることで、上記課題を解決する。【００１０】  本発明における走行駆動部については、ウォームギヤを用いることで、上記課題を解決する。
【発明の効果】
【００１１】  本発明におけるエンジン引出し装置は、ヒンジにて取付けられたエンジン引出し扉を手前に倒し水平に保持し、その扉の上をエンジンを引出せるようにしたものである。従来のスライド方式に比べ、極めて構造が簡単であり、コスト的にも経済的である。又、エンジンを格納し、扉部を起こして元に戻せば、この扉部がある為にエンジンを取り出すことができなくなる。従って、この扉部に例えば鍵をかけるようにすれば、簡単にエンジン盗難防止機構を装備することができる。【００１２】  本発明におけるブラシ軸は、本体台車に対して前後に傾けることができる為、床面の傾きにより洗車車輌とブラシとに斜めに隙間ができた場合でも、その車輌外板面にブラシが均一に接触させることができるようになる。【００１３】  本発明における走行駆動機構は、走行方向を転換させる場合、ウォームギヤによるブレーキ効果の為、走行中の慣性力に抗して駆動輪を止めることができ、結果として方向転換時の操作性能が大きく向上する。
【発明を実施するための最良の形態】
【００１４】  本発明におけるエンジン引出し装置は図１に示されるように、エンジン引出し扉１１が取り付けられており、手前に倒し水平に固定すれば、その扉の上をエンジンを引出すことができる。又、この扉を折りたためば格納したエンジンを取り出せなくなり、鍵１２をかければ簡単にエンジンの盗難防止ができる。【００１５】  本発明におけるブラシを支える本体枠１は本体台車１５に取付けられており、その台車が洗車車輌に対して傾き、ブラシと車輌との間に斜めに隙間が生じた時、ブラシを前後に傾けることにより、その隙間をなくすことができる。【００１６】  本発明における洗車機の駆動輪は、走行用ウォームギヤ１８を介してモーター駆動されており、その駆動を停止した際、即座に駆動輪を停止させることができる。
【実施例】
【００１７】  図１図２は、エンジン駆動による１本ブラシ洗車機の１実施例の正面図及び側面図であって、洗車をする為のブラシ２をブラシを支える本体枠１を介して本体台車１５に装備している。洗車用の水は水タンク３に貯められている。【００１８】  この本体台車１５は駆動車輪５により、床面上を走行移動させることができる。【００１９】  上記の駆動車輪５は、その駆動源としてエンジン４を利用している。【００２０】  エンジンは本体台車１５に扉のヒンジ１３にて取付けられたエンジン引出し用扉１１にて引出せることができる。この引出し用扉１１は、エンジンを引出す時は手前に倒し、扉を降ろした時に受けるチェーン１４にて水平に保たれ、その扉の上をエンジンが引出せることができる。又、エンジンを格納した時にはその扉を起こして元に戻し、扉の折畳時に鍵１２を使えば、エンジンを取り出せなくなり盗難防止対策として効果的である。【００２１】  ブラシ２はブラシを支える本体枠１に支持されているが、その枠はパワーシリンダーの連結板１０及びパワーシリンダー９を介して本体台車１５に取り付けられており操作スイッチ７の操作により、ブラシを前後に傾倒させることができる。例えば、前に倒した場合がブラシ２３の状態、後に倒した場合がブラシ２２の状態となる。従って、床面の傾きにより、洗車車輌とブラシとの間に斜めに隙間ができた場合でも、この機構によりブラシを車輌に最適に接触させることが可能になる。【００２２】  図３の実施例は、１本ブラシ洗車機の走行駆動部を表した図で、駆動車輪５は走行用ウォームギヤ１８を介して、走行用モーター１７にて駆動される。駆動輪は二輪であり、方向転換時には片方の駆動輪が停止する。この時、走行用ウォームギヤ１８を用いることにより、走行用モーター１７が停止した時、走行移動中の本体の慣性力に抗して、駆動車輪５が即座に停止する。従って、駆動輪の停止の応答性が向上し、その結果走行方向転換性能が大きく向上することになる。
【図面の簡単な説明】
【００２３】
【図１】本考案の実施例を示す側面図である
【図２】図１の正面図である
【図３】本体台車の裏面図である
【符号の説明】
【００２４】１  ブラシを支える本体枠
２  ブラシ
３  水タンク
４  エンジン
５  駆動車輪
６  従動車輪
７  操作スイッチ
８  水タンクフロートバルブ
９  パワーシリンダー
１０  シリンダーの連結板
１１  エンジン引出し用扉
１２  鍵
１３  ヒンジ
１４  チェーン
１５  本体台車
１６  ブラシ下端ピローブロックベアリングユニット
１７  走行用モーター
１８  走行用ウォームギヤー
【図１】
2006143170.tif 000003
【図２】
2006143170.tif 000004
【図３】
2006143170.tif 000005